(57)【要約】  設置情報を管理するための方法及び装置。一実施形態において、当該方法には、少なくとも一つのプロセッサを備えるモバイル装置でインストールアプリケーションを介して、設置の少なくとも一つの構成要素に対する識別情報を取得するステップと、上記インストールアプリケーションを介して、少なくとも一つの構成要素に対する位置情報を取得するステップと、上記インストールアプリケーションを介して、上記識別情報および上記位置情報に基づき、上記設置の少なくとも一部の物理的なレイアウトを示すテンプレートを生成するステップと、が含まれる。【選択図】  図２
2013529324.tif 000002
【特許請求の範囲】
【請求項１】
設置情報を管理する為の装置であって、
（ｉ）設置における少なくとも一つの構成要素に対する識別情報を取得し、（ｉｉ）少なくとも一つの構成要素に関する位置情報を取得し、（ｉｉｉ）前記識別情報および前記位置情報に基づき、前記設置の少なくとも一部の物理的レイアウトを示すテンプレートを生成する為の手段を備えるモバイル装置。
【請求項２】
（ｉ）前記少なくとも一つの構成要素に結合された識別タグから前記識別情報を取得する為の手段、（ｉｉ）前記位置情報を決定する為にＧＮＳＳ衛星からＧＮＳＳ信号を受ける手段のうち、少なくとも一つを更に備える、請求項１に記載の装置。
【請求項３】
（ｉｖ）前記モバイル装置の無線送受信器を利用して無線信号三角測量技術により前記位置情報が取得されること、（ｖ）前記少なくとも一つの構成要素の設置内部の絶対位置又は相対位置のうち少なくとも一つを前記位置情報が識別すること、（ｖｉ）前記少なくとも一つの構成要素の近くに前記モバイル装置を配置することにより前記位置情報が自動的に取得されることのうち、少なくとも一つを更に備える、請求項１に記載の装置。
【請求項４】
前記識別情報を取得し、前記位置情報を取得し、テンプレートを作り出す為の手段は、前記設置の場所に関するサイト情報を更に取得し、前記テンプレートと前記サイト情報を関連付ける、請求項１に記載の装置。
【請求項５】
前記サイト情報は、全地球位置測定システム（ＧＰＳ）座標、マップ、前記場所の写真、前記場所の衛星画像、前記場所の描写された図のうちの少なくとも一つを備える、請求項４に記載の装置。
【請求項６】
前記テンプレートおよび前記サイト情報は、関連付け付けられて前記場所の視覚的画像に前記物理的レイアウトのオーバーレイを作成する、請求項４に記載の装置。
【請求項７】
設置情報を管理する為の方法であって、
少なくとも一つのプロセッサを備えるモバイル装置でインストールアプリケーションを介して、設置の少なくとも一つの構成要素に対する識別情報を取得するステップと、
前記インストールアプリケーションを介して、前記少なくとも一つの構成要素に対する位置情報を取得するステップと、
前記インストールアプリケーションを介して、前記識別情報および前記位置情報に基づき、前記設置の少なくとも一部の物理的なレイアウトを示すテンプレートを生成するステップと、
を備える方法。
【請求項８】
前記識別情報を取得するステップは、前記少なくとも一つの構成要素をスキャンする工程を備える、請求項７に記載の方法。
【請求項９】
前記少なくとも一つの構成要素をスキャンする工程は、光学的にバーコードラベルを読み取ること、無線ＩＤ（ＲＦＩＤ）タグから無線中心を受けることのうち少なくとも一つを備える、請求項８に記載の方法。
【請求項１０】
前記位置情報を取得するステップは、少なくとも一つの構成要素の為の全地球位置測定システム（ＧＰＳ）座標を取得する工程を備える、請求項７に記載の方法。
【請求項１１】
前記設置の場所に関連するサイト情報を取得するステップを更に備える、請求項７に記載の方法。
【請求項１２】
前記識別情報および前記位置情報は、前記モバイル装置が前記少なくとも一つの設置の近くに保持される間、前記モバイル装置に無線で送信されるか、或いは手動で入力される、請求項７に記載の方法。
【請求項１３】
前記テンプレートに前記識別情報が自動的に配置され、前記識別情報が連続番号、部品番号、割り当てられた識別子のうち少なくとも一つを備える、請求項７に記載の方法。
【請求項１４】
前記サイト情報と前記テンプレートとを関連付け、前記サイトの視覚的画像に前記物理的レイアウトのオーバーレイを作成するステップを更に備える、請求項１１に記載の方法。
【請求項１５】
請求項７に記載の方法を実施する為のプロセッサで実行されるコンピュータプログラム。
【発明の詳細な説明】
【発明の背景】
【０００１】
発明の分野
[0001]この開示内容の実施形態は、全体的に、ソーラーアレイ、特に、ソーラーアレイに関する情報を自動的に取得することに関する。
【０００２】
関連技術の説明
[0002]ソーラーアレイは、一般的に、グリッド式構成で配備される複数の光起電力（ＰＶ）モジュールを備え、一つ以上のＰＶモジュールは、ＰＶモジュールからのＤＣ電力をＡＣ電力に転化するためのインバータのような一つ以上の電力コンバータに結合される。アレイ内部の各構成要素の配置に関連する情報は、アレイの効率的な動作（例えば、モニターする為に或いは技術者を派遣する為に、アレイのグラフによる描写を生じさせ、特定のＰＶモジュール或いはインバータに伴う問題を提示する等）の為に必要である。
【０００３】
[0003]ソーラーアレイの設置および作動中、設置者は、しばしば手動で、アレイ構成要素（例えば、ＰＶモジュール、ＤＣ／ＤＣコンバータ、ＤＣ／ＡＣインバータ、ＤＣ／ＡＣ配線接続、或いは、ソーラートラッカー）の場所を識別する為に必要な情報を文書化する。例えば、設置者は、アレイのレイアウトを描写するチャートに構成要素の為の識別（ＩＤ）番号を手動で入力し、構成要素にＩＤ番号とともにステッカーを配置し、そのＩＤ番号を示す対応ステッカーをアレイと同一アレイに配列された１枚の紙に配置するか、或いは、アレイレイアウト情報を収集して文書化する為に類似の技術を実施する。アレイ内の構成要素の物理的配列に関連するデータを取得する、そのような方法は、面倒くさく、人的ミスを受けやすい。
【０００４】
[0004]そのため、当該技術において、設置レイアウトに関連するデータを効率良く管理する為の方法及び装置が必要である。
【発明の概要】
【０００５】
[0005]本発明の実施形態は、全体的に、設置情報を管理する為の方法及び装置に関する。一実施形態において、当該方法は、少なくとも一つのプロセッサを備えるモバイル装置でインストールアプリケーションを介して、設置の少なくとも一つの構成要素に対する識別情報を取得するステップとインストールアプリケーションを介して、少なくとも一つの構成要素に対する位置情報を取得するステップと、インストールアプリケーションを介して、上記識別情報および上記位置情報に基づき、上記設置の少なくとも一部の物理的なレイアウトを示すテンプレートを生成するステップと、が含まれる。
【図面の簡単な説明】
【０００６】
[0006]本発明の上記特徴が詳細に理解され得るように、これまで簡単に纏めた本発明のより詳しい説明が実施形態によって参照することができ、その一部が添付の図面に示されている。しかしながら、添付図面は、この発明の典型的な実施形態を例示するにすぎないので、本発明の範囲を限定するものではなく、他の均等かつ効果的な実施形態を認めてもよいことに注意されたい。
[0007]
【図１】図１は、本発明の一つ以上の実施形態に従うソーラーアレイを備えた発電システムのブロック図である。[0008]
【図２】図２は、本発明の一つ以上の実施形態に従うモバイル装置のブロック図である。[0009]
【図３】図３は、本発明の一つ以上の実施形態に従うマスターコントローラのブロック図である。[0010]
【図４】図４は、本発明の一つ以上の実施形態に従うソーラーシステム情報を自動的に取得する為の方法の流れ図である。[0011]
【図５】図５は、本発明の一つ以上の実施形態に従うソーラーアレイの代替え実施形態のブロック図である。
【詳細な説明】
【０００７】
[0012]図１は、本発明の一つ以上の実施形態に従うソーラーアレイ１１０を備える発電システム１００（「システム１００」）のブロック図である。この図は、無数の可能なシステム構成のうちの一つの変形例を描写するにすぎない。本発明は、様々な環境およびシステムで機能し得る。
【０００８】
[0013]システム１００は、ＡＣバス１０６を介してロードセンター１０８に結合されるソーラーアレイ１１０を備える。ソーラーアレイ１１０は、複数のＰＶモジュール１０２（１，１）、１０２（１，２）…１０２（Ｍ，Ｎ）（集合的に「ＰＶモジュール１０２」という。）、複数のインバータ１０４（１，１）、１０４（１，２）…１０４（Ｍ，Ｎ）（集合的に「インバータ１０４」という。）を備える。各インバータ１０４（１，１）、１０４（１，２）…１０４（Ｍ，Ｎ）は、それぞれ、ＰＶモジュール１０２（１，１）、１０２（１，２）…１０２（Ｍ，Ｎ）に対して、１対１対応で結合され、更に、ＡＣバス１０６に結合されている。ＰＶモジュール１０２／結合されたインバータ１０４は、一般的に、Ｍ行Ｎ列を有するグリッドパターン内のソーラーアレイ１１０内部に配置されているが、他の配置も利用可能である。
【０００９】
[0014]幾つかの実施形態において、ＤＣ／ＤＣコンバータは、各ＰＶモジュールと各インバータ１０４（例えば、ＰＶモジュール１０２毎に一つのコンバータ）との間に結合されてもよい。あるいは、一つ以上のインバータ１０４は、各々が複数のＰＶモジュール１０２に結合されてもよく、例えば、ＰＶモジュール１０２は、全てが単一の、中心に集められたインバータ１０４に結合されてもよい。幾つかの、そのような実施形態において、ＤＣ／ＤＣコンバータは、各ＰＶモジュール１０２と、その対応したインバータ１０４との間に結合されてもよい。一つ以上の、代替えの実施形態において、インバータ１０４は、ＤＣ／ＤＣコンバータにより交換されてもよく、発生たＤＣ電力は、中心に集められたＤＣ／ＡＣインバータ（例えば、ロードセンター１０８に置かれたインバータ）、ＤＣ駆動システム、および／または、最後に使用されるために、バッテリのようなＤＣ貯蔵システムに結合される。
【００１０】
[0015]幾つかの実施形態において、ソーラーアレイ１１０は、複数のソーラートラッカー１３０（１，１）、１３０（１，２）…１３０（Ｍ，Ｎ）（集合的に「ソーラートラッカー１３０」という。）を備える。一つ以上のソーラートラッカー１３０（１，１）、１３０（１，２）…１３０（Ｍ，Ｎ）は、各々が、１つに対して多くが対応する関係で、ＰＶモジュール１０２（１，１）、１０２（１，２）…１０２（Ｍ，Ｎ）に結合されてもよいが、図１には１対１の関係が描写されている。ソーラートラッカー１３０は、傾斜されたシングル軸トラッカー、デュアル軸トラッカーのようなものでもよい。
【００１１】
[0016]インバータ１０４は、商用電力グリッドに準拠しているＡＣ電力にＰＶモジュール１０２からのＤＣ電力を変換し、ＡＣ電力をロードセンター１０８に結合する。発生されたＡＣ電力は、ロードセンター１０８から（例えば、個人住宅またはビジネスにおける）一つ以上の機器１１４へと、更に／又は、商用電力グリッド１１２へと更に結合されてもよい。追加あるいは代替えで、インバータ１０４により発生されたエネルギは、後の使用の為に保存されてもよく、例えば、発生されたエネルギは、バッテリ、加熱水、水力ポンプ、Ｈ２Ｏ水素変換などを利用して保存されてもよい。
【００１２】
[0017]システム１００は、インバータ１０４の運用制御を与える為に、ロードセンター１０８に結合されたアレイコントローラ１１６を備える。幾つかの実施形態において、アレイコントローラ１１６は、インバータ１０４と通信する為に、電力ライン通信（ＰＬＣ）を利用して、そのような制御を与えているが、追加あるいは代替えで、アレイコントローラ１１６は、他の形式の有線及び／又は無線技術を利用し、インバータ１０４と通信してもよい。アレイコントローラ１１６は、マスターコントローラ１２０から情報を送り、更に／又は情報を受けるために、通信ネットワーク１１８（例えば、インターネット）を介して、マスターコントローラ１２０に通信で結合されている。アレイコントローラ１１６は、通信ネットワーク１１８に結合する為に、有線及び／又は無線技術を利用してもよく、幾つかの実施形態において、アレイコントローラ１１６は、商業的に利用可能なルータを介して、通信ネットワーク１１８に結合されてもよい。
【００１３】
[0018]マスターコントローラ１２０は、通信ネットワーク１１８に結合する為に、有線及び／又は無線技術を利用してもよい。例えば、使用者は、パスワードで保護されたポータルを介して、ソーラーアレイ１１０の描写を検分し、ソーラーアレイ１１０に関するメッセージをモニターし、ソーラーアレイ１１０に指示を送信し、あるいは、ソーラーアレイ１１０に対する同様の運用及びメンテナンス機能を実行してもよい。
【００１４】
[0019]本発明の一つ以上の実施形態に従う実施形態において、設置者１２４は、ソーラーアレイ１１０及び／又はアレイコントローラ１１６に関連する情報（「ソーラーシステム情報」）を管理する為に（例えば、取得、生成、保存、検分、アップロードなど）、モバイル装置１２６に常駐するインストールアプリケーション１２８を利用してもよい。モバイル装置１２６は、スマートフォン、パーソナル・デジタル・アシスタント（ＰＤＡ）、タブレット型コンピュータ、ネットブック、ラップトップコンピュータなどのようなアプリケーションソフトウェアを扱うことができ、実行させることができる、商業的に利用可能な如何なる装置でもよい。
【００１５】
[0020]ソーラーシステム情報は、位置及び／又は識別情報を含んでもよい。位置情報は、一つ以上のソーラーアレイ構成要素の相対及び／絶対位置（例えば、全地球位置測定システム（ＧＰＳ）座標、緯度及び経度座標などのような固定座標システムに基づく絶対位置）を識別してもよい（例えば、ソーラーアレイ１１０内部のＰＶモジュール１０２の相対位置、全地球位置測定システム（ＧＰＳ）座標に基づくインバータ１０４の絶対位置、ＧＰＳ座標に基づくコントローラ１１６の絶対位置など）。識別情報は、一つ以上のソーラーアレイ構成要素を識別する為に使用されてもよい（例えば、連続番号、部品番号、割り当てられた識別（ＩＤ）番号など）。幾つかの多相の実施形態において、ソーラーシステム情報は、インバータ１０４が結合される位相を示す位相情報を含んでもよい。ソーラーシステム情報は、追加で或いは代替えで、ソーラーアレイ１１０の構成要素に関連する同様の情報を含んでもよい。
【００１６】
[0021]ソーラーシステム情報は、アドレス又はＧＰＳ座標、マップ、描かれた図、写真、他の画像、ソーラーアレイ１１０に対応するプロジェクト番号などのようなソーラーアレイ１１０に関連するサイト情報を更に含んでもよい。幾つかの実施形態において、モバイル装置１２６は、既存ウェブサイトからソーラーアレイサイトのマップ、写真、他の画像を取得する為のアプリケーションを備えてもよい。
【００１７】
[0022]インストールアプリケーション１２８は、また、互いに関連付けられるソーラーシステム情報の様々なサブセット間の関連を生成してもよい。そのようなアプリケーションは、自動的に、更に／或いは、設置者１２４による手動入力に基づいて生成され、情報間の関連を示す。例えば、ソーラーアレイサイトのアドレスは、各ＰＶモジュール１０２及びインバータ１０４に対して識別情報が関連付けられてもよく、結合されたＰＶモジュール１０２及びインバータ１０４の各々に対する識別情報が関連付けられてもよく、結合されたＰＶモジュール１０２及びソーラートラッカー１３０の各々に対して識別情報が関連付けられてもよく、インバータ１０４の各々に対してＧＰＳ座標及び連続番号がソーラーアレイサイトの航空写真と関連付けられ、航空写真上に座標及び連続番号のオーバーレイを作成してもよく、ソーラーシステム情報間の他の同様な関連が生成されてもよい。
【００１８】
[0023]ソーラーシステム情報は、モバイル装置１２６からアレイコントローラ１１６及び／又はマスターコントローラ１２０にアップロードされてもよい。追加あるいは代替えで、ソーラーシステム情報は、モバイル装置１２６，アレイコントローラ１１６，マスターコントローラ１２０のうちの一つ以上に保存され、ウェブサイト１２２を介してアクセス可能であってもよい。幾つかの実施形態において、モバイル装置１２６，アレイコントローラ１１６，マスターコントローラ１２０のうちの一つ以上が、ソーラーシステム情報の一部或いは全てを印刷する為にプリンタに結合されてもよい。
【００１９】
[0024]設置者１２４は、インストールアプリケーション１２８の初期起動において、インストールアプリケーション１２８をモバイル装置１２６に追加し、ユーザ識別（ＩＤ）、ウェブサイト１２２に対するログイン及びパスワード、アレイコントローラ１１６及び／又はマスターコントローラ１２０に対するログイン及びパスワードなどのユーザプロファイル情報を入力してもよい。インストールアプリケーション１２８の後の起動において、インストールアプリケーション１２８は、ウェブサイト１２２、アレイコントローラ１１６及び／又はマスターコントローラ１２０に対する自動ログイン及び認証を設置者１２４に代わって実施してもよく、幾つかの実施形態において、設置者１２４は、インストールアプリケーション１２８にそのようなログイン／認証を実施させる為にインストールアプリケーションに対するパスワードの入力を要求されてもよい。
【００２０】
[0025]幾つかの実施形態において、設置者１２４は、モバイル装置１２６で各構成要素を「スキャン」することにより、ソーラーアレイ構成要素（例えば、ＰＶモジュール１０２，インバータ１０４，アレイコントローラ１１６）に対する識別情報を取得する為にインストールアプリケーション１２８を利用してもよい。そのようなスキャンは、ソーラーアレイ１１０の構成要素を設置あるいは後の設置の一部として、実施されてもよい。幾つかの実施形態において、そのようなスキャンは、モバイル装置１２６を利用して光学的に、ソーラーアレイ構成要素上のラベル（例えば、バーコードラベル、光学文字を有するラベルなど）のような識別タグを読み取ることを備えてもよい。他の実施形態において、構成要素に結合された識別タグ（例えば、高周波識別又はＲＦＩＤ、タグ、同様の装置）は、モバイル装置１２６が構成要素の近くにあるとき、インストールアプリケーション１２８に識別情報を無線で通信させてもよい。そのような識別タグは、例えば製造又は設置中、ソーラーアレイ構成要素上に配置或いはソーラーアレイ構成要素に結合されてもよい。幾つかの実施形態において、インバータ１０４は、モバイル装置１２６がインバータ１０４の近くにあるとき、インバータ自身が、無線で、識別情報をインストールアプリケーション１２８に通信させてもよい。識別情報も同様に、アレイコントローラ１１６をスキャンすることにより、取得されてもよい。
【００２１】
[0026]インバータ１０４から取得された識別情報は、インバータ１０４に対して一つ以上の識別子を備えることに加えて、インバータ１０４に結合されるＰＶモジュール１０２に対して一つ以上の識別子を備えてもよい。インバータ１０４が２つ以上のＰＶモジュール１０２に結合される幾つかの実施形態において、識別情報は、インバータ１０４に対する識別子と、結合されたＰＶモジュール１０２の各々に対する識別子とを備えてもよく、代替えで、インストールアプリケーション１２８は、識別情報から（例えば、一つ以上のインバータ識別子から）インバータ１０４が複数のＰＶモジュールに結合されていることを決定してもよい。追加で或いは代替えで、ＰＶモジュール１０２から取得される識別情報は、ＰＶモジュール１０２に対して一つ以上の識別子を備えることに加えて、ＰＶモジュール１０２に結合されるインバータ１０４に対して一つ以上の識別子を備えてもよい。
【００２２】
[0027]幾つかの多相の実施形態において、位相情報は、インバータ１０４が結合される位相を識別する為に、例えば、識別タグを介して、インストールアプリケーション１２８により取得されてもよい。
【００２３】
[0028]設置者１２４は、また、相対及び／又は絶対位置（例えば、経度及び緯度座標、ＧＰＳ座標などのような固定座標システムに基づく絶対位置）を識別する為に位置情報を記録するようにモバイル装置１２６内部のインストールアプリケーション１２８を利用してもよい。幾つかの実施形態において、設置者１２４は、特定の構成要素の為の位置情報をモバイル装置１２６に手動で入力してもよく、他の実施形態において、設置者１２４は、構成要素の近くにモバイル装置１２６を配置し、インストールアプリケーション１２８が自動的に対応する位置情報（例えば、ＧＰＳ又は無線信号三角測量技術を介して、例えば、取得される構成要素の絶対位置）を取得してもよい。インストールアプリケーション１２８は、取得された位置情報を、対応するソーラーアレイ構成要素に対する識別情報と自動的に関連付けられてもよい（たとえば、インバータ１０４の為の位置及び識別情報が関連付けられ、ＰＶモジュール１０２の為の位置及び識別情報が関連付けられる等）。アレイコントローラ１１６の為の位置情報も同様に取得され、アレイコントローラ１１６とソーラーアレイ１１０に対する識別情報と関連付けられてもよい。
【００２４】
[0029]幾つかの実施形態において、インストールアプリケーション１２８は、テンプレートにソーラーシステム情報の一部を配置し、ソーラーアレイ１１０の物理的構成の記録を生成させてもよい。そのような設置レイアウトテンプレート（すなわち、アレイレイアウトテンプレート）は、Ｍ行Ｎ列を有するグリッドのようなソーラーアレイ１１０のレイアウトに対応するパターン内で構成可能であり、ここで、テンプレート内部の各セルは、ソーラーアレイ１１０内部の構成要素（或いは、結合されたＰＶモジュール１０２／インバータ１０４のような構成要素のグループ）の場所を表す。設置者１２４は、複数の、予め定められたテンプレートから適切なテンプレートを選択し、ソーラーアレイ１１０の為に以前に作り出されたテンプレートを検索し、或いは、新しいテンプレートを生成する。その後、インストールアプリケーション１２８は、ソーラーアレイ１１０内部の対応する場所に設置されたインバータ１０４及び／又はＰＶモジュール１０２に対する識別又は位置情報のうち少なくとも一つを各セルに配置してもよい。さらに、アレイレイアウトテンプレート内部のセルは、アレイコントローラ１１６と対応してもよく、アレイコントローラ１１６に関連する識別及び／又は位置情報が配置されてもよい。幾つかの実施形態において、位相情報も同様に、アレイレイアウトテンプレートの配置に使用されてもよい。
【００２５】
[0030]ソーラーアレイレイアウトテンプレートの配置の為に、設置者１２４は、モバイル装置１２６の表示スクリーン上でセルに触れることにより、テンプレート内部の特定のセルを選択し、その後、ソーラーアレイ１１０内部の補足的な場所に設置されたＰＶモジュール１０２及び／又はインバータ１０４をスキャンしてもよい。あるいは、ＰＶモジュール及び／又はインバータ１０４は、ソーラーアレイ１１０及び設置時に選択される対応したテンプレートセルに設置される前にスキャンされてもよい。幾つかの代替え実施形態において、設置者１２４は、手動で、情報を特定のテンプレートセルに入力してもよい。
【００２６】
[0031]幾つかの実施形態において、インストールアプリケーション１２８は、モバイル装置１２６の検出済み動作を利用することにより配置されるべき特定のテンプレートセルを自動的に識別してもよい。例えば、インストールアプリケーション１２８は、配置された以前のセルと、モバイル装置１２６の動作方向を識別するモバイル装置１２６の動作検出装置（加速計、ジャイロスコープ、コンパスなど）からのデータとに基づいて配置されるべきテンプレートセルを識別してもよい。他の実施形態において、ＰＶモジュール１０２及び／又はインバータ１０４は、スキャンされ、インストールアプリケーション１２８は、動作方向（例えば、行を横切って左から右に移動）を仮定し、その仮定に基づき、自動的にアレイレイアウトテンプレートに配置する。仮定された方向が正しくないならば、アプリケーションは、設置者１２４に、他のテンプレートセルを選択させることにより、その「推測」を修正させる。或いは、設置者１２４は、ＰＶモジュール１０２及び／又はインバータ１０４をスキャンするための動作方向を定めてもよく、インストールアプリケーション１２８は、それに従って、アレイレイアウトテンプレートに配置する。
【００２７】
[0032]他の実施形態において、設置されたＰＶモジュール１０２及び／又はインバータ１０４は、スキャンされ、インストールアプリケーション１２８は、自動的に全部のアレイレイアウトテンプレートを生成し、全部のアレイレイアウトテンプレートに配置する。たとえば、インストールアプリケーション１２８は、自動的に、レイアウトテンプレートを定め、ＰＶモジュール１０２をスキャンすることにより取得された一つ以上の識別及び位置情報、インバータ１０４をスキャンすることにより取得された識別及び位置情報、モバイル装置１２６の動作、或いは仮定された／特定されたモバイル装置１２６の動作方向に基づき、テンプレートに配置してもよい。
【００２８】
[0033]更に他の実施形態において、まだＰＶモジュール１０２及びインバータ１０４が設置されていない場合、インストールアプリケーション１２８は、テンプレートを生成し、更に／又は、テンプレートを表示させてもよいが、このテンプレートにおいて、各テンプレートセルは、ＰＶモジュール１０２及び／又はインバータ１０４がソーラーアレイ１１０内部の補助的な場所に設置されるべきということを示す識別子を描写する。
【００２９】
[0034]インストールアプリケーション１２８は、さらに、ソーラーアレイ１１０の為のサイト情報にアレイレイアウトテンプレートを関連付けてもよい。例えば、設置者１２４は、ＰＶモジュール１０２及び／又はインバータ１０４をスキャンし、識別及び／又は位置情報が配置されたアレイレイアウトテンプレートを生成してもよい。その後、インストールアプリケーション１２８は、ソーラーアレイ１１０のスキャン中にモバイル装置１２６のＧＰＳ座標に基づきサイトの衛星画像のようなサイト情報を自動的に取得し、その衛星サイト画像上に配置されたテンプレートを上書きしてもよい。あるいは、インストールアプリケーション１２８は、ソーラーアレイ１１０のスキャン前あるいはスキャン中にサイト情報を取得してもよく、リアルタイムでそのサイト情報に識別及び／又は位置情報を関連付けてもよい。幾つかの実施形態において、インストールアプリケーション１２８は、サードパーティウェブサイトからサイト情報を取得してもよく、あるいは、以前に保存されたサイト情報を検索してもよい。
【００３０】
[0035]一つ以上の代替え実施形態において、インストールアプリケーション１２８は、ソーラーアレイ以外の機器設置に対するサイト情報および／または識別情報、位置情報を取得する為に利用されてもよい。
【００３１】
[0036]図２は、本発明の一つ以上の実施形態に従うモバイル装置１２６のブロック図である。モバイル装置１２６は、モバイル装置用無線送受信器２０２，ＩＤトランスデューサ２２２，支援回路２０８，メモリ２１０を備え、各々が中央処理ユニット（ＣＰＵ）２０６に結合されている。モバイル装置用無線送受信器２０２は、無線で、モバイル装置１２６を通信ネットワーク１１８に結合させ、マスターコントローラ１２０および／またはアレイコントローラ１１６と通信する。モバイル装置１２６は、さらに、有線技術を利用する通信を与える為に送受信器を備えてもよく、例えば、モバイル装置１２６は、通信ネットワーク１１８に接続されたコンピュータに結合される。
【００３２】
[0037]ＩＤトランスデューサ２２２は、識別情報の収集を容易にする。幾つかの実施形態において、ＩＤトランスデューサ２２２は、通信でモバイル装置１２６を無線識別タグ（例えば、ＲＦＩＤタグ、同様の装置）に結合させる構成要素（例えば、アンテナ、送受信器）を備え、無線識別タグは、例えば、識別情報の為のＩＤタグを積極的に問い合わせることにより識別情報を取得する為にＰＶモジュール１０２，インバータ１０４，および／またはアレイコントローラ１１６に結合される。追加または代替えで、ＩＤトランスデューサ２２２は、ラベル（例えば、バーコードラベル、光学文字を有するラベルなど）のような識別タグをスキャンして識別情報を取得する為に構成要素（例えば、カメラまたは光学リーダー）を備えてもよい。幾つかの実施形態において、ＩＤトランスデューサ２２２は、モバイル装置１２６から分離され（すなわち、モバイル装置１２６に対して外部にあり）、モバイル装置１２６と通信で結合されてもよい。例えば、ＩＤトランスデューサ２２２は、モバイル装置１２６とスキャナを無線で結合可能にするブルートゥースでもよい。そのような幾つかの実施形態において、ＩＤトランスデューサ１２６は、便宜上、モバイル装置１２６と物理的に結合（例えば、着脱自在に留める、装着される等）されてもよい。
【００３３】
[0038]ＣＰＵ２０６は、一つ以上の在来で利用可能なマイクロプロセッサ或いはマイクロコントローラを備えてもよい。あるいは、ＣＰＵ２０６は、一つ以上の特定用途向け集積回路（ＡＳＩＣ）を含んでもよい。支援回路２０８は、ＣＰＵ２０６の機能性を促進する為に使用される周知の回路でもよい。そのような回路は、キャッシュ、電源、クロック回路、バス、ネットワークカード、入出力（Ｉ／Ｏ）回路などを含むが、これらに限定されるものではない。モバイル装置１２６は、特定ソフトウェアを実施するときに本発明の様々な実施形態の為の専用コンピュータになる汎用コンピュータを使用して実現可能である。
【００３４】
[0039]メモリ２１０は、ランダムアクセスメモリ、リードオンリメモリ、リムーバブルディスクメモリ、フラッシュメモリ、様々な、これらの型のメモリの組合せを備えてもよい。メモリ２１０は、ときどき、メインメモリと呼ばれ、一部では、キャッシュメモリまたはバッファメモリとして使用される。メモリ２１０は、一般的に、モバイル装置１２６のオペレーティングシステム（ＯＳ）２１２を保存する。オペレーティングシステム２１２は、マイクロソフト社によるウィンドウズモバイル、アップル社によるｉＯＳ、リサーチインモーションによるブラックベリィＯＳ、アクセス社によるアクセスリナックスプラットフォーム、パーム社によるパームＯＳ、オープンハンドセットアライアンスによるアンドロイドのような商業的に利用可能な多くのオペレーティングシステムのうちの一つでもよい。
【００３５】
[0040]メモリ２１０は、インストールアプリケーション１２８のような様々な形式のアプリケーションソフトウェアを保存し、ソーラーアレイ１１０に関連するソーラーシステム情報を取得して管理し、代替え実施形態において、インストールアプリケーション１２８は、ハードウェアで実現されてもよく、ハードウェアおよびソフトウェアの組合せで実現されてもよい。幾つかの実施形態において、インストールアプリケーション１２８は、ＩＤトランスデューサ２２２により供給されたデータ及び／又は画像の読み取りの為に、ラベル認識ソフトウェア（例えば、バーコード認識ソフトウェア、光学文字認識ソフトウェア、ＲＦＩＤソフトウェアなど）を備えてもよい。メモリ２１０は、また、ユーザプロファイル、識別／位置／サイト情報、アレイレイアウトテンプレート、以前の設置の為の情報などのような本発明に関連する情報を保存する為にモバイル装置用データベース２１４を備えてもよい。
【００３６】
[0041]幾つかの実施形態において、モバイル装置１２６は、追加で、一つ以上のグローバルナビゲーションサテライトシステム（ＧＮＳＳ）受信器２１６（例えば、ＧＰＳ，ガリレオ等）を備え、ＧＮＳＳ衛星からＧＮＳＳ信号を受信し、ＧＰＳ座標のような位置情報を決定してもよい。追加あるいは代替えで、位置情報は、モバイル装置用無線送受信器２０２を利用して無線信号（例えば、セルラー信号）三角測量技術により取得されてもよい。幾つかの実施形態において、モバイル装置１２６は、メモリ２１０内の加速計用ソフトウェアドライバ２２４に結合される加速計２２０を更に備え、モバイル装置１２６の動作に関連するデータを決定してもよい。そのようなデータは、前述したように、アレイレイアウトテンプレートに自動的に配置する際に利用されてもよい。
【００３７】
[0042]図３は、本発明の一以上の実施形態に従うマスターコントローラ１２０のブロック図である。マスターコントローラ１２０は、マスターコントローラ用送受信器３０２，支援回路３０６，メモリを備え、各々は、中央処理ユニット（ＣＰＵ）３０４に結合されている。
【００３８】
[0043]ＣＰＵ３０４は、従来から利用可能な一つ以上のマイクロプロセッサまたはマイクロコントローラを備えてもよい。あるいは、ＣＰＵ３０４は、一つ以上の特定用途向け集積回路（ＡＳＩＣ）を含んでもよい。支援回路３０６は、ＣＰＵ３０４の機能性を促進する為に使用される周知の回路である。そのような回路は、キャッシュ、電源、クロック回路、バス、ネットワークカード、入出力（Ｉ／Ｏ）回路などを含むが、これらに限定されるものではない。マスターコントローラ１２０は、特定のソフトウェアを実行するときに本発明の様々な実施形態の為の専用コンピュータになる汎用コンピュータを使用して実現されてもよい。
【００３９】
[0044]マスターコントローラ用送受信器３０２は、通信ネットワーク１１８を介してマスターコントローラ１２０をアレイコントローラ１１６に通信で結合し、ソーラーアレイ１１０の管理、例えば、アレイコントローラ１１６及び／又はインバータ１０４の動作を容易にする。さらに、マスターコントローラ用送受信器３０２は、通信ネットワーク１１８を介して、通信で、マスターコントローラ１２０をモバイル装置１２６に結合させる。さらに、マスターコントローラ用送受信器３０２は、無線または有線技術、例えば、ＷＩ−ＦＩまたはＷＩ−ＭＡＸモデム、３Ｇモデム、ケーブルモデム、ディジタル加入者回線（ＤＳＬ）光ファイバ、類似の型の技術を利用してもよい。
【００４０】
[0045]メモリ３０８は、ランダムアクセスメモリ、リードオンリィメモリ、リムーバブルディスクメモリ、フラッシュメモリ、これらの型の様々なメモリの組合せを備えてもよい。メモリ３０８は、ときどき、メインメモリと呼ばれるが、一部では、キャッシュメモリまたはバッファメモリとして使用される。メモリ３０８は、一般的に、マスタ−コントローラ１２０のオペレーティングシステム（ＯＳ）を保存する。オペレーティングシステム３１０は、サンマイクロシステムズ社からのＳＯＬＡＲＩＳ、ＩＢＭ社からのＡＩＸ、ヒューレットパッカード社からのＨＰ−ＵＸ、レッドハットソフトウェアからのＬＩＮＵＸ、マイクロソフト社からのウインドウズ２０００などのような商業的に利用可能な多くのオペレーティングシステムのうちの一つでもよい。
【００４１】
[0046]メモリ３０８は、例えば、インバータ１０４を動作させるためにアレイコントローラ１１６に指令を与えることにより、ソーラーアレイ１１０を管理させる為のアレイ管理用ソフトウェアのような様々な形式のアプリケーションソフトウェアを保存してもよい。さらに、メモリ３０８は、ユーザプロファイル、識別／位置／サイト情報得、アレイレイアウトテンプレート、以前の設置の為の情報などのような本発明に関連するデータを保存する為のマスタ−コントローラ用データベース３１４のような様々なデータベースを備えてもよい。メモリ３０８は、また、パスワードで保護されたポータルを介してソーラーシステム情報を管理及び／又はアクセスする為のウェブサイト１２２を備えてもよい。
【００４２】
[0047]図４は、本発明の一つ以上の実施形態に従ってソーラーシステム情報を自動的に取得する為の方法４００の流れ図である。後述される実施形態ようのような幾つかの実施形態において、設置者は、ソーラーアレイ設備（例えば、発電システム１００）に関連するソーラーシステム情報を取得する為にインストールアプリケーションが常駐するモバイル装置を利用する。他の実施形態において、インストールアプリケーションは、他の種類の機器設置の為に類似した情報を取得する為に利用されてもよい。
【００４３】
[0048]方法４００は、ステップ４０２で開始し、ステップ４０４に進む。ステップ４０４において、インストールアプリケーションが開始される。ステップ４０６において、インストールアプリケーションがはじめて開始されたか（すなわち、初期スタートアップか）の決定がなされる。そのような決定の結果がＹｅｓの場合、方法４００は、ステップ４０８に進み、設置者は、例えば、インストールアプリケ−ションによりプロンプトが出されたときにユーザプロファイル情報を入力する。そのようなユーザプロファイル情報は、ユーザＩＤ、ソーラーアレイ管理用中央ウェブサイト（例えば、ウェブサイト１２２）に対するログイン、中央ウェブサイト用パスワード、インストールアプリケーションアンロック用パスワードを含んでもよい。インストールアプリケーションは、例えば、モバイル装置のデータベース内部にユーザプロファイル情報を更に保存してもよい。方法４００は、その後、ステップ４１０に進む。
【００４４】
[0049]ステップ４０６において、インストールアプリケーションが以前に開始されていたことが決定されたならば、方法は、ステップ４１２に進む。ステップ４１２において、インストールアプリケーションは、自動的にユーザプロファイル情報を決定し、例えば、インストールアプリケーションは、設置者がパスワードを入力する際に以前に保存されたユーザプロファイル情報を検索してもよい。方法４００は、ステップ４１０に進む。
【００４５】
[0050]ステップ４１０において、インストールアプリケーションは、ユーザプロファイル情報に基づき、ソーラーアレイ管理用中央ウェブサイト（例えば、ウェブサイト１２２）に自動的にログインする。幾つかの実施形態において、インストールアプリケーションは、方法４００の実行中、いつでも、そのようなログインを実施してもよい。
【００４６】
[0051]方法は、ステップ４１４に進み、そこで、ソーラーアレイ設置が新しい設置かが決定される。幾つかの実施形態において、インストールアプリケーションが、設置者により入力された入力（例えば、プロジェクト番号）、ソーラーアレイの場所に関連するサイト情報（例えば、設置者により入力されたアドレス、モバイル装置により自動的に取得されたＧＰＳ座標）などに基づいて、そのような決定を行ってもよい。ステップ４１４において、設置が新しい設置であるならば、方法は、ステップ４１８に進む。
【００４７】
[0052]ステップ４１８において、予め定められたアレイレイアウトテンプレートを利用するソーラーシステム情報を書面化するか、或いは、新しいアレイレイアウトテンプレートを作り出すかを決定する。幾つかの代替え実施形態において、アレイレイアウトテンプレートは、全く利用されず、取得されたソーラーシステム情報が単に、例えばリスト形式で保存される。他の代替え実施形態において、インストールアプリケーションは、ソーラーアレイ構成要素のスキャン中に取得された位置情報に基づき、アレイレイアウトテンプレートを自動的に構築してもよく、そのような幾つかの実施形態において、設置者は、テンプレートがポートレートであるべきか、ランドスケープであるべきが、テンプレートパターンが整列されるべきか、煉瓦状か、同様の基準であるべきかを選択してもよい。
【００４８】
[0053]前述されたように、アレイレイアウトテンプレートは、ソーラーアレイ構成要素の物理的なレイアウトを描写し、例えば、テンプレートは、各セルがグリッド内部の各セルがソーラーアレイ内部のＰＶモジュール／インバータの位置を表すグリッド形式を有してもよい。ステップ４１８において、新しいアレイレイアウトテンプレートが作り出されるべきかが決定されるならば、方法４００は、ステップ４２０に進み、例えば、行列の番号、ポートレートかランドスケープか、ソーラーアレイパターンが整列されるか煉瓦条か、ＰＶモジュールメイク及び／又はモデル、ＰＶモジュールの物理的な大きさ、及び／又はアスペクト比など、ソーラーアレイの物理的なレイアウトの既存及び／又は計画された特徴を特定することにより、アレイレイアウトテンプレートを作り出す。アレイレイアウトテンプレートは、モバイル装置の表示スクリーンで（ポートレートモードまたはランドスケープモードで）見ることができる。方法４００は、ステップ４２０からステップ４２６に進む。
【００４９】
[0054]ステップ４１８において、予め定められたアレイレイアウトテンプレートが利用されるべきであることが決定されたならば、方法４００は、ステップ４２２に進む。ステップ４２２において、予め定められたアレイレイアウトテンプレート、或いは、そのようなテンプレートの為の指標がモバイル装置に表示されてもよく、ステップ４２４において、特定のレイアウトが選択される。異なるテンプレートレイアウトは、異なる数の行及び／又は列、ポートレートかランドスケープかのような異なる配置、整列か煉瓦状かのような異なるパターン、メイク、モデル、物理的な大きさ、アスペクト比のような異なるＰＶモジュール特性、ソーラーアレイレイアウトに関連する他の情報および／または特性を備えてもよい。ステップ４２２及び４２４に代わり、ソーラーアレイ設置に対して特有の予め定められたアレイレイアウトテンプレートが（モバイル装置のデータベースから）検索、或いは、中央ウェブサイトからダウンロードされてもよい。そのような予め定められたアレイレイアウトテンプレートは、例えば、ソーラーアレイサイトのサイト評価中に、設置者が手動でモバイル装置に入力するデータ（例えば、プロジェクト番号、アドレス）、（すなわち、設置者が現場にいるときに）モバイル装置により自動的に決定されるＧＰＳ座標、同様の情報に基づき、以前に作り出されてもよい。方法４００は、ステップ４２４からステップ４２６に進む。
【００５０】
[0055]ステップ４１４において、ソーラーアレイ設置が新しい設置でないことが決定されるならば、方法４００はステップ４１６に進む。ステップ４１６において、ソーラーアレイ設置に関連する既存の情報が、例えば、モバイル装置のデータベースから取得されるか、中央ウェブサイトからダウンロードされる。そのような既存のソーラーアレイ設置情報は、部分的に配置されたソーラーアレイレイアウトテンプレート、サイト情報などを含んでもよい。インストールアプリケーションは、設置者により入力された入力（例えば、プロジェクト番号、アドレスなど）、（すなわち、設置者が現場にいるときに）モバイル装置により自動的に決定されるＧＰＳ座標、同様の情報に基づき、既存のソーラーアレイ設置情報を検索してもよい。方法４００は、ステップ４２６に進む。
【００５１】
[0056]ステップ４２６において、ソーラーアレイ設置用の構成要素（たとえば、ＰＶモジュール、インバータ、アレイコントローラなど）がスキャンされ、対応する識別情報を取得すべきかが決定される。そのような決定の結果がＹｅｓならば、方法はステップ４２８に進み、ここで、構成要素がスキャンされ、識別情報を取得する。そのような識別情報は、連続番号、部品番号、割り当てられた識別（ＩＤ）番号、同様の情報を含んでもよく、アレイ内部の特定構成要素を識別するためにアレイレイアウトテンプレートに配置するために利用される。一つ以上のインバータが、各々、一つ以上の相のＡＣ電力に結合される幾つかの多相の実施形態において、各インバータが結合される相を識別する為に、位相情報が追加で取得されてもよい。
【００５２】
[0057]幾つかの実施形態において、ＰＶモジュール、インバータ、アレイコントローラは、モバイル装置を使用し、構成要素上のラベルのような識別タグを光学的に読み取ることによりスキャンされてもよく、例えば、バーコードラベルは、モバイル装置のバーコードリーダーにより読み取られてもよく、識別文字を有するラベルは、モバイル装置のＩＤリーダーにより読み取られてもよい。あるいは、識別タグ（例えば、高周波識別またはＲＦＩＤ、タグ）は、モバイル装置が構成要素の近くにあるとき、インストールアプリケーションに識別情報を無線で通信させるために、その構成要素に結合されてもよい。識別情報を伝える為の識別タグは、ソーラーアレイ構成要素に以前に（例えば、製造中に）配置されるか結合され、設置処理の一部として、ソーラーアレイ構成要素上に配置または結合されてもよい。
【００５３】
[0058]実施形態において、インバータから取得される識別情報は、インバータに結合されるＰＶモジュール或いは複数のＰＶモジュールの為に、一つ以上の識別子を追加で備えてもよい。そのような幾つかの実施形態において、インバータが２つ以上のＰＶモジュールに結合されるならば、取得される識別情報は、結合されるＰＶモジュールの各々に対して識別子を備えてもよく、代替えで、識別情報は、単一のＰＶモジュール識別子を備え、インストールアプリケーションは、ＰＶモジュール識別子に基づき、インバータが複数のＰＶモジュールに結合されていることを決定してもよい。他の実施形態において、ＰＶモジュールから取得される識別情報は、ＰＶモジュールに結合されるインバータに対して一つ以上の識別子を追加で備えてもよい。
【００５４】
[0059]ソーラーアレイ構成要素をスキャンすることにより取得される識別情報は、アレイレイアウトテンプレートに配置する為に利用される。幾つかの実施形態において、テンプレート内部のセルは、例えば、モバイル装置のスクリーン上に表示されるテンプレート内部のセルに触れることにより、手動で選択され、ソーラーアレイ内部の補助的な位置に装備された構成要素（または、一対のＰＶモジュール／インバータのような構成要素群）がスキャンされ、取得された識別情報がセルに配置する。他の実施形態において、構成要素は、最初にスキャンされ、その後、テンプレート内部の対応するセルが手動で選択され、取得された識別情報で配置される。更に他の実施形態において、インストールアプリケーションは、配置されるべきセルを自動的に決定する。例えば、インストールアプリケーションは、以前に配置されたセルと、モバイル装置の動作方向を示す動作データ（例えば、モバイル装置の加速計から取得された動作データ）に基づき、特定のセルを自動的に配置してもよい。更に他の実施形態において、インストールアプリケーションは、アレイ構成要素をスキャンした後にアレイレイアウトを自動的に発生させて配置させてもよく、例えば、インストールアプリケーションは、装備されたアレイ構成要素をスキャンする間に取得された動作データに及び／又は位置情報に基づいて配置されるテンプレートを作り出してもよい。
【００５５】
[0060]識別情報に加えて、固定座標システムに基づく絶対位置のようなアレイ構成要素に対する位置情報は、アレイ構成要素の特定の場所を識別するために、アレイレイアウトテンプレートに配置されてもよい。例えば、ＧＰＳ座標は、装備された構成要素の近くにモバイル装置があるとき（例えば、構成要素をスキャン中に）モバイル装置のＧＰＳモジュールにより取得されてもよく、そのような絶対位置情報は、アレイレイアウトテンプレート内の対応するセルに追加されてもよい。幾つかの実施形態において、ソーラーアレイ構成要素に対する絶対位置情報（例えば、ＧＰＳ座標）及び識別情報は、取得され、互いに関連付けられ、ソーラーアレイの物理的レイアウトの表示が決定され、後に、配置されたアレイレイアウトテンプレートに対して使用されてもよい。
【００５６】
[0061]さらに、配置されたアレイレイアウトテンプレートは、ソーラーアレイ内部のソーラーアレイ構成要素に対する相対的位置情報源を与える。
【００５７】
[0062]幾つかの実施形態において、位相情報が、アレイレイアウトテンプレートの配置の際に使用されてもよい。
【００５８】
[0063]方法４００は、ステップ４２６において、ソーラーアレイ設置についてスキャンされるべき追加のソーラーアレイ構成要素が無いことが決定されるまで、ステップ４２８からステップ４２６に戻る。方法４００は、その後、ステップ４３２に進み、ここで、アレイレイアウトテンプレートをソーラーアレイ設置サイトに関連するサイト情報と関連付けるかの決定がなされる。そのようなサイト情報は、アドレスやＧＰＳ座標、マップ、描写される図、写真や他の画像などを含んでもよい。幾つかの実施形態において、モバイル装置は、衛星画像ウェブサイトのようなサードパーティのウェブサイトからソーラーアレイサイトの写真や他の画像、マップを取得する為のアプリケーションを備えてもよい。
【００５９】
[0064]ステップ４３２において、関連性の必要が無いことが決定されるならば、方法４００は、ステップ４３８に進み、ステップ４３２において、アレイレイアウトテンプレートをサイト情報に関連付けることが決定されるならば、方法４００は、ステップ４３４に進み、ここで、サイト情報が取得される。幾つかの実施形態において、サイト情報は、設置者により、モバイル装置に手動で入力されてもよく、例えば、設置者は、サイトの場所のアドレスを入力してもよい。追加で或いは代替えで、サイト情報は、インストールアプリケーションにより、自動的に取得されてもよい。例えば、インストールアプリケーションは、モバイル装置のデータベースからサイト情報を検索する為にソーラーアレイのＧＰＳ座標を利用してもよく、中央ウェブサイトからサイト情報をダウンロードするか、サードパーティのウェブサイト（例えば、衛星画像ウェブサイト）からサイト情報を検索する。
【００６０】
[0065]方法４００は、ステップ４３６に進む。ステップ４３６において、インストールアプリケーションは、アレイレイアウトテンプレートを所望のサイト情報に関連付ける。幾つかの実施形態において、設置者は、どのサイト情報をアレイレイアウトテンプレートに関連付けるかを特定してもよい。例えば、ソーラーシステムの場所のアドレス及び／又はプロジェクト番号は、ソーラーアレイレイアウトテンプレートに関連付けてもよく、ソーラーアレイレイアウトテンプレートは、ソーラーアレイサイトの航空写真に上書きされてもよく、他の同様の関連性が作り出されてもよい。方法４００は、ステップ４３８に進む。
【００６１】
[0066]ステップ４３８において、ソーラーアレイ設置に関連する如何なる追加の情報を取得すべきかを決定する。そのような決定の結果がＮｏであれば、方法ステップ４４２に進み、決定の結果がＹｅｓであれば、方法４００は、ステップ４４０に進み、そこで、追加の情報が取得される。例えば、幾つかの実施形態において、モバイル装置は、方位及び／又は傾斜情報を決定する為に一つ以上のセンサを備えてもよく、インストールアプリケーションは、モバイル装置が近くでソーラーアレイに整列されて保持されるとき、ソーラーアレイに対する方位及び／又は傾斜を決定してもよい。方法４００は、ステップ４４２に進む。
【００６２】
[0067]ステップ４４２において、データ（すなわち、ソーラーシステム情報の一部または全部）を中央ウェブサイトにアップロードすべきかを決定する。そのような決定の結果がＮｏであれば、方法４００はステップ４４６に進み、そのような決定の結果がＹｅｓであれば、方法４００はステップ４４４に進む。ステップ４４４において、所望のデータがモバイル装置から中央ウェブサイトにアップロードされる。データは、モバイル装置を通信ネットワークに（無線または有線で）結合されているコンピュータに結合させることにより、或いは、中央ウェブサイトを備えるマスターコントローラにモバイル装置を結合させることにより、モバイル装置から無線でアップロードされてもよい。幾つかの実施形態において、設置者は、どのデータをアップロードすべきかを選択してもよい。他の実施形態において、方法４００の実行中に収集されるデータの全てがアップロードされてもよい。幾つかの実施形態において、データが収集されるときにリアルタイムで中央ウェブサイトにデータがアップロードされてもよいが、データ収集中に周期的にアップロードされてもよい。
【００６３】
[0068]方法４００は、ステップ４４６に進む。ステップ４４６において、例えば、モバイル装置のデータベース及び／又は中央ウェブサイトにおいて、データ（すなわち、ソーラーシステム情報の一部または全部）を保存すべきかが決定される。そのような決定の結果がＮｏであるならば、方法４００はステップ４５０に進み、そのような決定の結果がＹｅｓであるならば、方法４００はステップ４４８に進む。ステップ４４８において、所望のデータが、例えば、設置者により特定されたように保存される。幾つかの実施形態において、データが収集されるときにリアルタイムでモバイル装置及び／又は中央ウェブサイトにデータが保存されるか、或いは、データ収集中に周期的に保存される。方法４００は、ステップ４５０に進む。
【００６４】
[0069]ステップ４５０において、続けるかの決定がなされる。そのような決定の結果が、Ｙｅｓであるならば、方法は、ステップ４１４に戻る。そのような決定の結果が、Ｎｏであるならば、方法は、ステップ４６０に進み、ここで、終了する。
【００６５】
[0070]幾つかの実施形態において、方法４００のステップは、異なる順序で実施されてもよい。例えば、ソーラーアレイサイトに対するサイト情報は、中央ウェブサイトにログインする際に取得されてもよく、中央ウェブサイトに対するログインは、全てのソーラ−アレイ構成要素をスキャンした後に実施されてもよく、或いは、予め定められるアレイレイアウトテンプレートは、以前に、サイトの航空写真に関連付けられ（例えば、上書きされ）てもよい。
【００６６】
[0071]図５は、本発明の一つ以上の実施形態に従うソーラーアレイ１１０の代替え実施形態のブロック図である。ソーラーアレイ１１０は、複数の光起電力（ＰＶ）モジュール５０２（１，１）、５０２（１，２）…５０２（Ｍ，Ｎ）（集合的に「ＰＶモジュール５０２」という。）、複数の電力コンバータ５０４（１，１）、５０４（１，２）…５０４（Ｍ，Ｎ）（集合的に「電力コンバータ５０４」という。）、ソーラーアレイ１１０をロードセンター１０８に結合させる為の配線システム５０６を備える。各電力コンバータ５０４は、１対１の対応で、ＰＶモジュール５０２に結合され、代替えで、複数のＰＶモジュール５０２は、単一の電力コンバータ５０４に結合されてもよい。幾つかの実施形態において、電力コンバータ５０４は、ＤＣ／ＡＣインバータ（すなわち、インバータ１０４）である。あるいは、電力コンバータ５０４は、ＤＣ／ＤＣコンバータでもよく、発生されるＤＣ電力は、中心に集められたＤＣ／ＡＣインバータ（例えば、ロードセンター１０８に配置されたインバータ）、ＤＣで駆動されるシステム、及び／又は、後での使用のために、バッテリのようなＤＣ電力貯蔵システムに結合される。
【００６７】
[0072]配線システム５０６は、複数のケーブル５１８（１）、５１８（２）…５１８（Ｍ）（集合的に「幹線ケーブル５１８」という。）、複数の接続箱５１０（１，１）、５１０（１，２）…５１０（Ｍ，Ｎ＋１）（集合的に「接続箱５１０」という。）、ケーブル５１８の先端を終了させる為に複数の終端ブロック５０８（１）、５０８（２）…５０８（Ｍ）（集合的に「終端ブロック５０８」という。）を備える。インバータ５０４の各々は、複数のドロップコネクタ５１２（１，１）、５１２（１，２）…５１２（Ｍ，Ｎ＋１）（集合的に「ドロップコネクタ５１２」という。）および複数のドロップケーブル５１６（１，１）、５１６（１，２）…５１６（Ｍ，Ｎ）（集合的に「ドロップケーブル５１６」という。）を介して接続箱５１０に結合される。図５に描写された実施形態のように、幾つかの実施形態において、電力コンバータ５０４より多くの接続箱５１０／ドロップコネクタ５１２があり、一つ以上の接続箱５１０／ドロップコネクタ５１２は、電力コンバータ５０４に接続されていない。
【００６８】
[0073]そのようなシステムの実施例は、２０１１年１月２４日に出願された同時係属の、共同所有された米国特許出願第１２／９３１，０８１に見られる。
【００６９】
[0074]一つ以上のＰＶモジュール５０２，電力コンバータ５０４，接続箱５１０，ドロップコネクタ５１２，ドロップケーブル５１６，終端ブロック５０８の為に、インストールアプリケーション１２８は、前述したように、識別及び／又は位置情報を取得してもよい（例えば、識別情報は、構成要素に結合された識別タグから取得可能、位置情報は、構成要素のＧＰＳ座標に基づき決定可能など）。インストールアプリケーション１２８は、また、同様に前述されたように、そのような情報の少なくとも一部を備えるアレイレイアウトテンプレートを生成させてもよい。さらに、多相システムにおいて、インストールアプリケーション１２８は、接続箱５１０の各々が結合される位相を識別する位相情報を取得してもよい。例えば、位相情報は、接続箱５１０に結合される識別タグを介して取得されてもよい。そのような位相情報は、アレイレイアウトテンプレートの配置で使用されてもよい。
【００７０】
[0075]インストールアプリケーション１２８は、前述したように、ソーラーアレイ１１０に関連する他のソーラーシステム情報（例えば、ソーラーアレイの場所のマップや他の画像）を更に取得し、ソーラーシステム情報の様々なサブセット間の関連性を生成してもよい（例えば、それぞれが結合された接続箱５１０／ドロップコネクタ５１２／電力コンバータ５０４／ＰＶモジュール５０２に対応する識別及び位相情報が関連付けされてもよい）。
【００７１】
[0076]前述された本発明の実施形態は、前述されたような様々な機能を実施する多数の素子、装置、回路及び／又はアセンブリを備える。これらの素子、装置、回路、及び／又はアセンブリは、それぞれが前述された機能を実施する為の手段を例示的に実現するものである。
【００７２】
[0077]前述したものは、本発明の実施形態に向けられているが、本発明の他の、更なる実施形態は、本発明の基本的範囲から逸脱することなく、案出することができ、その範囲は、添付された請求の範囲により定められる。
【符号の説明】
【００７３】
１００ 発電システム
１００ システム
１００ 発電システム
１０２ モジュール
１０４ インバータ
１０６ バス
１０８ ロードセンター
１１０ ソーラーアレイ
１１２ 商用電力グリッド
１１４ 機器
１１６ アレイコントローラ
１１８ 通信ネットワーク
１２０ マスターコントローラ
１２２ ウェブサイト
１２４ 設置者
１２６ モバイル装置
１２８ インストールアプリケーション
１３０ ソーラートラッカー
２０２ モバイル装置用無線送受信器
２０８ 支援回路
２１０ メモリ
２１２ オペレーティングシステム
２１４ モバイル装置用データベース
２１６ 受信器
２２０ 加速計
２２２ トランスデューサ
２２４ 加速計用ソフトウェアドライバ
３０２ マスターコントローラ用送受信器
３０６ 支援回路
３０８ メモリ
３１０ オペレーティングシステム
３１４ コントローラ用データベース
５０２ モジュール
５０４ 電力コンバータ
５０６ 配線システム
５０８ 終端ブロック
５１０ 接続箱
５１２ ドロップコネクタ
５１６ ドロップケーブル
５１８ 幹線ケーブル
【図１】
2013529324.tif 000003
【図２】
2013529324.tif 000004
【図３】
2013529324.tif 000005
【図４Ａ】
2013529324.tif 000006
【図４Ｂ】
2013529324.tif 000007
【図５Ａ】
2013529324.tif 000008
【図５Ｂ】
2013529324.tif 000009
【図５Ｃ】
2013529324.tif 000010
【国際調査報告】
2013529324.tif 000011
2013529324.tif 000012